(57)【要約】【課題】  ２０インチとＢ２や、２４インチとＡ４といった用紙幅サイズの近い用紙夫々に対してフチ無し印字用のインク受け溝を設けると溝がくっついてしまい溝幅が大きくなる。そのため紙搬送の妨げとなり、その様なインク受け溝を設ける事が出来なかった。【解決手段】  サイズの近い用紙は紙搬送時の基準位置を左右に振り分ける事で、フチ無し印字のインク受け溝もそれらに対応した位置に配置する。【選択図】  図３
2007152737.tif 000002
【特許請求の範囲】
【請求項１】
記録用紙の左右端を所定量オーバーさせ、記録用紙に余白をつけずに印刷を行うインクジェット記録装置において、プラテン上に設けられたオーバー分のインクを回収する機構が、異なる複数の基準位置から記録用紙幅のそれぞれの位置に設けられたことを特徴とするインクジェット記録装置。
【請求項２】
プラテン上に設けられたオーバー分のインクを回収する機構の異なる基準位置が、印字可能領域の左右端であることを特徴とする請求項１記載のインクジェット記録装置。
【請求項３】
プラテン上に設けられたオーバー分のインクを回収する機構の異なる基準位置からの記録用紙幅が、基準位置のそれぞれにおいて異なることを特徴とする請求項１，２記載のインクジェット記録装置。
【請求項４】
回収機構が吸収体であることを特徴とする請求項１，２，３記載のインクジェット記録装置。
【請求項５】
回収機構がファンによる吸引機構であることを特徴とする請求項１，２，３記載のインクジェット記録装置。
【発明の詳細な説明】
【技術分野】
【０００１】
本発明は、記録ヘッドからインクを吐出して記録用紙へ記録を行うインクジェット記録装置に関し、詳しくはプラテン上の吸引機構に関する。
【背景技術】
【０００２】
インクジェット方式の記録装置はランニングコストが安く、複数色のノズル列を設けることによりカラー対応を比較的容易に行えるというメリットがある。近年は出力画質向上のほかに付加的な機能に対するニーズも多く、印字余白なしに画像を出力する所謂フチ無し印字もその一つである。従来のフチ無し印字は特開2002-103584のようにプラテン上に吐出されたインクを受けるための溝を設けて、印字領域を記録用紙の大きさよりも大きく取り、記録用紙端の外側までインク滴の吐出を行って実現している。
【特許文献１】特開２００２−１０３５８４号公報
【発明の開示】
【発明が解決しようとする課題】
【０００３】
しかしインク受け溝を設けたサイズでの記録用紙でしかフチ無し印字を行えず、インク受け溝の幅を広げるとその部分の記録用紙が支えられずヘッドとの距離が変わってしまう。またインク受け溝の幅を広げると記録用紙を吸着するプラテンの吸引穴を設けられなくなってしまい、記録用紙が浮いてしまうことがある。この為従来は記録用紙幅の近いサイズではどちらか一方の幅でしか採用することができなかった。
【０００４】
本発明は、上記の問題点に鑑みてなされたものであり、幅サイズの近い記録用紙双方においても、フチ無し印字が可能なインクジェット記録装置を提供することを目的とする。
【課題を解決するための手段】
【０００５】
上記問題を解決するために、本発明は、記録用紙の左右端を所定量オーバーさせ、記録用紙に余白をつけずに印刷を行うインクジェット記録装置において、プラテン上に設けられたオーバー分のインクを回収する機構が、異なる複数の基準位置から記録用紙幅のそれぞれの位置に設けられたことを特徴とする。
【０００６】
また、プラテン上に設けられたオーバー分のインクを回収する機構の異なる基準位置が、印字可能領域の左右端であることを特徴とする。
【０００７】
また、プラテン上に設けられたオーバー分のインクを回収する機構の異なる基準位置からの記録用紙幅が、基準位置のそれぞれにおいて異なることを特徴とする。
【発明の効果】
【０００８】
本発明によれば、幅サイズの近い記録用紙双方においても、フチ無し印字が可能となる。
【発明を実施するための最良の形態】
【０００９】
以下、本発明の実施の形態について図面を参照して詳細に説明する。
【実施例１】
【００１０】
図1を参照して本発明のインクジェット方式画像形成装置の一例であるプロッタを説明する。
【００１１】
図１は、バブルジェット（登録商標）方式の記録ヘッドを搭載したプロッタの概略構成を示す斜視図である。
【００１２】
プロッタは、矢印Ａ方向に搬送される記録用紙が載置されるプラテン5を備えている。このプラテン5の上方には、プラテン5に対して平行な走査レールが掛け渡され、モータとベルト（不図示）によって矢印Ｂ方向（矢印Ａ方向に直行する方向）に往復運動するキャリッジ1がスライド軸受けを介して取り付けられている。
【００１３】
キャリッジ1にはインク滴を吐出するノズル列を有する記録ヘッド10が搭載されている。記録ヘッド10はチューブ2を介して本体に設置されたインクタンク3からインクを供給され、往復運動をしながら記録用紙6のノズル列と対向する部分に記録を行う。記録用紙6は搬送ローラとピンチローラにはさまれて保持され、搬送モータ7によって搬送ローラが回転することにより矢印A方向に搬送される。キャリッジ1が移動可能な範囲の記録用紙6から離れた位置には回復装置4が配置されており、印字不良が生じた場合や一定期間毎にノズルからインクを強制的に吸引してノズルやインク供給路のクリーニングを行う。
【００１４】
上記構成は図2に示す制御装置によって制御される。制御装置は画像情報を担持した印字データ（画像データ）等を制御するイメージコントローラ12、記録用紙6の搬送やキャリッジ1の移動を制御するエンジンコントローラ36、及び各記録ヘッド10から吐出されるインクの吐出信号を制御する記録ヘッドコントローラ13などから構成されている。イメージコントローラ１２はホストコンピュータ１１から転送されるプリントデータを受信および解析しエンジンコントローラ３６へ印字データを転送する他、操作者とのインタフェースである操作パネル（不図示）の制御などを行う。エンジンコントローラ３６は、イメージコントローラ12から送られてきた印字データを分割するデータラスタライズ部15、記録用紙の種類や出力品位に応じて印字パラメータを変更する印字パラメータ変更部14、インクの吐出に使用するパルスを生成する吐出パルスジェネレータ16、及び、搬送ローラを回転させる搬送モータ7を制御する搬送制御部17などから構成されている。
【００１５】
プラテン部の構成を図3を用いて説明する。プラテン５上の記録用紙６は不図示の記録用紙搬送装置によって搬送されている。記録用紙６は、第１の基準位置である基準ライン１に基づいてセットされている。
【００１６】
記録用紙６の両端はフチ無し余剰インク受け溝２０ａと２０ｂにかかっている。またこの場合、第２の基準位置である基準ライン２に基づいて設けた余剰インク受け溝２１ａ、２１ｂは記録用紙６端部と関係ない場所にある。
【００１７】
図４は、図３の上面図で、同様の構成に加えて、スプール２４に記録用紙６がセットされている。スプール２４はプロッタ本体に設けられたスプール受け２３に回転可能に取り付けられる。記録用紙６は第１の基準位置である基準ライン１に基づいてセットされている。例えばこの記録用紙の用紙幅は２４inchで約６１０mmであるとする。
【００１８】
図５は、図３同様の構成の本体に、第２の基準位置である基準ライン２に基づいて、用紙幅がA1（５９４mm）サイズである記録用紙６をセットした場合の図を示す。記録用紙６の両端はフチ無し余剰インク受け溝２１ａと２１ｂにかかっている。またこの場合、第１の基準位置である基準ライン１に基づいて設けた余剰インク受け溝２０ａ、２０ｂは記録用紙６端部と関係ない場所にある。従来、記録用紙の用紙幅２４inchとA1サイズは用紙幅１６mmの差分しかなく、基準ライン１に基づいてセットした場合、反基準位置側の記録用紙端の余剰インク受け溝である２０ｂは、２４inch記録用紙またはA１記録用紙いずれか一方の分しか設けることができず、双方のサイズに対するフチ無し印字が不可であった。しかしながら、基準ライン１に基づいて２４inch記録用紙をセットし、基準ライン２に基づいてA１記録用紙をセットすれば、それぞれの記録用紙両端に対するフチ無し余剰インク受け溝は、２０ａ，２０ｂ、２１ａ，２１ｂのように、独立した位置に設けることが可能となる。基準ライン１に基づいて２４inch記録用紙をセットし、基準ライン２に基づいてA１記録用紙をセットするというのは実施の一例にすぎず、どちらの記録用紙サイズをどちらの基準ラインに基づいてセットするとか、２４ｉｎｃｈ，Ａ１といったサイズには本発明の内容が限定されるものではない。
【００１９】
図６は、図５の上面図で、同様の構成に加えて、スプール２４に記録用紙６がセットされている。スプール２４はプロッタ本体に設けられたスプール受け２３に回転可能に取り付けられる。記録用紙６は第２の基準位置である基準ライン２に基づいてセットされている。
【００２０】
この場合は、スプール２４を左右逆に装着し、記録用紙６の基準位置を基準ライン２に合わせている。
【００２１】
図３，図４，図５，図６においては、ロール状記録用紙を用いて示しているが、これに限定されるものではなく、単票状の記録用紙を用いても実現可能であることは明らかである。また、基準位置を左右の２種を用いて示しているが、これに限定さるものではない。
【図面の簡単な説明】
【００２２】
【図１】インクジェットプロッタの概略構成図。
【図２】図１のプロッタの構成の一部を示すブロック図。
【図３】プラテン部の斜視図。
【図４】プラテン部の上面図。
【図５】プラテン部の斜視図。
【図６】プラテン部の上面図。
【符号の説明】
【００２３】
1  キャリッジ
2  チューブ
3  インクタンク
4  回復装置
5  プラテン
6  記録用紙
7  搬送モータ
8  走査レール
10  記録ヘッド
11  ホストコンピュータ
12  イメージコントローラ
13  記録ヘッドコントローラ
14  印字パラメータ変更部
15  データラスタライズ部
16  吐出パルスジェネレータ
17  搬送制御部
36  エンジンコントローラ
【図１】
2007152737.tif 000003
【図２】
2007152737.tif 000004
【図３】
2007152737.tif 000005
【図４】
2007152737.tif 000006
【図５】
2007152737.tif 000007
【図６】
2007152737.tif 000008